(57)【要約】【課題】  強度低下の懸念なしに擁壁の骨格部分を形成するコンクリート材料の使用量を節減でき、単位ブロックの積み上げ施工時の労力負担を軽減できる擁壁構造を提供する。【解決手段】  単位ブロックの前壁版と後壁版を左右各端部に一定幅の重ね合せ部を残して左梁版と右梁版で連結し、左右の単位ブロック間に残置した調整用領域の前後各側の開口部を前位パネルと後位パネルで閉塞し、前位パネルの左右各端部を前壁版の前記重ね合せ部に当接させ、右梁版と左梁版の各前位横孔から挿入した位置決め部材で前位パネルを当初位置に保持させ、後位パネルの左右各端部を各後壁版の前記重ね合せ部に当接させ、右梁版と左梁版の各後位横孔から挿入した位置決め部材で後位パネルを当初位置に保持させ、単位ブロックの矩形中空部と前記調整用領域をコンクリート、残土等の充填物によって埋め合わせる。【選択図】  図６ 
2005320680.tif 000002
【特許請求の範囲】
【請求項１】
互いに平行に配置された前壁版および後壁版と、前壁版と後壁版の左端部に一定幅の重ね合せ部を残して前壁版と後壁版を連結する左梁版と、前壁版と後壁版の右端部に一定幅の重ね合せ部を残して前壁版と後壁版を連結する右梁版とによって、矩形中空部を有する単位ブロックを形成し、施工基準線に沿って単位ブロックを積み上げて擁壁を構築するとき、左右の単位ブロック間に残置した調整用領域の前側開口部を前位パネルによって閉塞し、該調整用領域の後側開口部を後位パネルによって閉塞し、前位パネルの左右各端部の前面を左右の単位ブロックの各前壁版の前記重ね合せ部に当接させ、左右の単位ブロックの右梁版と左梁版の各前位横孔から挿入した左右の位置決め部材を前位パネルの左右端部の後面に当接させて、前位パネルを当初位置に保持させ、後位パネルの左右各端部の後面を左右の単位ブロックの各後壁版の前記重ね合せ部に当接させ、左右の単位ブロックの右梁版と左梁版の各後位横孔から挿入した左右の位置決め部材を後位パネルの左右端部の前面に当接させて、後位パネルを当初位置に保持させ、上下に連通した各単位ブロックの前記矩形中空部と、上下に連通した単位ブロック間の前記調整用領域の全部または一部をコンクリート、残土、土砂、砕石、植生土嚢等の充填物によって埋め合わせるようにした擁壁構造。
【発明の詳細な説明】
【技術分野】
【０００１】
本発明は、主として地形に応じて定まる施工基準線に沿って多数個の単位ブロックが平面視直線形状または曲線形状に積み上げられ、上下に連通した単位ブロックの空洞部がコンクリート等の充填物によって埋め合せられる擁壁構造に関するものである。
【背景技術】
【０００２】
一般的な擁壁構造では、前壁版と後壁版が左梁版と右梁版で連結されることによって矩形中空部が形成された直方体形状の単位ブロックが構築に使用されており、施工基準線が直線状であるときには、多数個の単位ブロックは、各前壁版の左右端面同士を突き合わせるとともに、各後壁版の左右端面同士を突き合わせて左右方向に連続して並設され、法面に沿って斜め上方に向かって積み上げる。そして、上下に連通した各単位ブロックの矩形中空部にコンクリートを打設したり、砕石などを充填し、これら充填物によって擁壁自体の重量を大きくして、背面からの土圧力に抵抗するようになっている（特許文献１の図１１から図１３の図面、及びこれら図面に基づく従来技術の説明箇所を参照。）。
【０００３】
この擁壁構造では、擁壁の骨格部分は左右幅方向の全長にわたって、連続配置された単位ブロックの前後の壁版及び左右の梁版によって構成されているため、擁壁の骨格部分の形成に使用するコンクリート材料の使用量が多くなる。
擁壁の骨格部分の全部が重量の重い単位ブロックそれ自体で構成されているため、施工現場への単位ブロックの搬入個数が多くなり、その運搬・設置に要する労力負担が重くなっている。
【０００４】
擁壁構築対象の法面が平面から見たとき湾曲している曲面の場合は、この曲面に沿って単位ブロックを並設することになるが、単位ブロックの外形が直方体形状であることから、水平方向に隣接する単位ブロック同士の間に隙間が生じる。
さらにまた前記曲面は傾斜面であることから、上段の単位ブロックと下段の単位ブロックとではカーブの曲がり度合いが異なり、その結果、下段の単位ブロック同士の隙間の方が上段のものよりも大きくなり、大きな略台形状の隙間が生じることになる。
【０００５】
これらの隙間は単位ブロックの内部にコンクリートなどの充填物を充填する前に施工現場で型枠を組んで塞ぐようにしており、各段毎に異なる大きさの隙間処理の作業は容易ではなく、多くの時間と労力を要した。
【０００６】
平面視曲線形状の施工においても単位ブロック同士の間に隙間が出来ないようにした擁壁構造も提案されている。この擁壁構造で使用される単位ブロックは、前壁版と後壁版とこれらを連結する中梁版とで平面略Ｉ字形に形成したものであり、前壁版と後壁版は中梁版の箇所を中心にして左右で突出方向が前後にずれるように、それぞれの先端を肉薄の段部に形成してある（特許文献１の特許請求の範囲と図１から図１０の説明箇所参照。）。
【０００７】
この擁壁構造においては、左右の単位ブロックの前壁版の先端段部同士、及び左右の単位ブロックの後壁版の先端段部同士を重ね合わせることによって、左右の単位ブロックが並設されるため、平面視直線形状の施工と曲線形状の施工にいずれにおいても、左右の単位ブロック同士間に隙間はできないのであるが、単位ブロックは平面略Ｉ字形に形成されたものであることから、前記重ね合せ端部と中梁版間の距離、すなわち曲げモーメントの腕の長さが相当に長いものとなっており、背面土圧力によって後壁版と中梁版の付け根部に負荷される曲げ応力が大きくなり、強度面で問題がるある。
【０００８】
【特許文献１】特許第３１０１７６１号公報
【発明の開示】
【発明が解決しようとする課題】
【０００９】
本発明の課題は、平面視直線形状の施工あるいは曲線形状の施工のいずれにおいても、強度低下の懸念なしに擁壁の骨格部分を形成するコンクリート材料の使用量を節減することができ、単位ブロックの搬入個数の減少と積み上げ施工時の労力負担の軽減が可能である擁壁構造を提供することである。
また、本発明の課題は、平面視曲線形状の施工において、単位ブロック間の隙間処理としての面倒な型枠の組立分解作業が不必要となり、背面土圧力に対して強い施工が行える擁壁構造を提供することである。
【課題を解決するための手段】
【００１０】
本発明の擁壁構造では、互いに平行に配置された前壁版および後壁版と、前壁版と後壁版の左端部に一定幅の重ね合せ部を残して前壁版と後壁版を連結する左梁版と、前壁版と後壁版の右端部に一定幅の重ね合せ部を残して前壁版と後壁版を連結する右梁版とによって、矩形中空部を有する単位ブロックを形成し、施工基準線に沿って単位ブロックを積み上げて擁壁を構築するとき、左右の単位ブロック間に残置した調整用領域の前側開口部を前位パネルによって閉塞し、該調整用領域の後側開口部を後位パネルによって閉塞し、前位パネルの左右各端部の前面を左右の単位ブロックの各前壁版の前記重ね合せ部に当接させ、左右の単位ブロックの右梁版と左梁版の各前位横孔から挿入した左右の位置決め部材を前位パネルの左右端部の後面に当接させて、前位パネルを当初位置に保持させ、後位パネルの左右各端部の後面を左右の単位ブロックの各後壁版の前記重ね合せ部に当接させ、左右の単位ブロックの右梁版と左梁版の各後位横孔から挿入した左右の位置決め部材を後位パネルの左右端部の前面に当接させて、後位パネルを当初位置に保持させ、上下に連通した各単位ブロックの前記矩形中空部と、上下に連通した単位ブロック間の前記調整用領域の全部または一部をコンクリート、残土、土砂、砕石、植生土嚢等の充填物によって埋め合わせる。
【発明の効果】
【００１１】
本発明では、左右の単位ブロック間に調整用領域を残置して単位ブロックを施工基準線に沿って配置し、該調整用領域の前側開口部を前位パネルによって閉塞し、調整用領域の後側開口部は後位パネルによって閉塞し、前位パネルと後位パネルを位置決め部材で当初位置に保持した状態で、調整用領域と矩形中空部をコンクリート等の充填物で埋め合わせたものであり、擁壁の骨格部分はその左右幅方向の全長にわたって単にブロックが並設されているのではなくて、単位ブロック１個毎に前位パネルと後位パネルを主要骨格部材とする調整用領域が置かれているため、単位ブロックの使用個数を節減することができ、単位ブロックの積み上げ施工に要する労力負担や作業コストを軽減することができる。
【００１２】
また、前位パネルの左右各端部の前面が左右の単位ブロックの各前壁版の前記重ね合せ部に当接させられ、後位パネルの左右各端部の後面が左右の単位ブロックの各後壁版の前記重ね合せ部に当接させられるのであるが、これら重ね合せ部に隣接して左梁版と右梁版が前壁版及び後壁版に接続されているため、前記曲げモーメントの腕の長さは極めて短く、背面土圧力によって前記付け根部に負荷される曲げ応力は十分に小さいものとなる。その上、左右の単位ブロックの右梁版と左梁版の各前位横孔から挿入した左右の位置決め部材を前位パネルの左右端部の後面に当接させ、また、左右の単位ブロックの右梁版と左梁版の各後位横孔から挿入した左右の位置決め部材を後位パネルの左右端部の前面に当接させているため、これら位置決め部材も背面土圧力に対する抵抗要素として働く。
そのため、前位パネルと後位パネルによって画定された調整用領域の強度は十分であり、
平面視直線形状施工と曲線形状施工のいずれにおいても、強度低下の懸念なしに擁壁の骨格部分を形成するコンクリート材料の使用量を節減することができることになる。
【００１３】
本発明では、左右の単位ブロック間に挿入される前位パネルと後位パネルは、調整用領域の主要骨格部材としてそのまま残置使用されるものであり、前位パネルと後位パネルの解体作業は何ら想定されていないから、従来のような単位ブロック間の隙間処理用のための型枠の組立分解の作業が一切なくなり、施工コストの節減が行なえる。
【００１４】
前位パネルと前壁版の重ね合せ部との重ね合せ長さ、および後位パネルと後壁版の重ね合せ部との重ね合せ長さを変更することによって、様々なカーブ施工が簡単に行なえる。
【発明を実施するための最良の形態】
【００１５】
単位ブロック１０と前位パネル２０と後位パネル３０は、いずれも鉄筋メッシュを内在させたセメントコンクリートにより工場においてプレキャスト成形される。単位ブロック１０の前壁版１１と後壁版１２は、上端が下端より後方に来るように後向きに傾斜している。前壁版１１と後壁版１２の各上端面は、左梁版１３および右梁版１４の各上端面と同一の水平面を形成している。また、前壁版１１と後壁版１２の各下端面は、左梁版１３および右梁版１４の各下端面と同一の水平面を形成している。
【００１６】
左梁版１３および右梁版１４の各上端面には、積み上げたとき単位ブロック１０の前後方向への移動を制止するための制止突起１５を設けてあり、左梁版１３および右梁版１４の各下端面には制止突起１５が嵌まり込む制止凹部１６を形成してある。
擁壁構築対象の法面１は所要深さ及び奥行きだけ掘削され、掘削底部２には基礎砕石層３が形成され、基礎砕石層３上には基礎コンクリート４が打設され、基礎コンクリート４上に設置された最下段の単位ブロック１０は、差し筋として使用される位置決め鉄筋５によって固定されている。所定段数に積み上げられた単位ブロック１０の背面空所には、割栗石や砕石、土砂などの裏込め材６が充填されている。擁壁の最上部には高さの低い単位ブロック１０が設置され、その上に天端コンクリート７が打設されている。
【００１７】
前位パネル用の位置決め部材２１と後位パネル３０用の位置決め部材３１は、いずれも基端部を直角に曲げた鉄筋によって構成され、これら鉄筋は差し筋として使用される。左梁版１３及び右梁版１４の前位横孔２２，２３は上下各端部に水平横向きに形成されている。左梁版１３及び右梁版１４の後位横孔３２，３３は上下各端部に水平横向きに形成されている。
図１７と図１８に示したように、前位パネル２０の左右端部の後面側には傾斜面部２０ａ，２０ｂが形成され、後位パネル３０の左右端部の後面側にも同様な傾斜面部３０ａ，３０ｂが形成されている。前壁版１１の前記重ね合せ部１１ａ，１１ｂと後壁版１２の前記重ね合せ部１２ａ，１２ｂは、これに対応して傾斜面に形成されている。
単位ブロック１０の左梁版１３と右梁版１４には、打設した胴込コンクリートや埋め戻した残土などの充填物４０が、上下左右に隣接する矩形中空部１７や調整用領域５０に縦横に行き渡るように連通窓孔１８を形成してある。
【００１８】
図１１から図１６に示した単位ブロック１０では、後壁版１２の左右の重ね合せ部１２ａ，１２ｂには、ナット型インサート６０を埋設してある。図１０の断面図の中央区域に示したように、曲線状施工において部分的に直線部が存在するときには、左右の単位ブロック１０，１０の間に調整用領域５０を残置しないで、左右の単位ブロック１０，１０を直接的に突き合わせて設置し、左右の単位ブロック１０，１０の後壁版１２，１２の重ね合せ部１２ａ，１２ｂに連結プレート６１を当接し、連結プレート６１の左右各端部の透孔から前記ナット型インサート６０に捻じ込まれるボルト６２によって、連結プレート６１を重ね合せ部１２ａ，１２ｂに締め付け固着する。
擁壁の全幅にわたって直線状施工であるときには、左右の単位ブロック間の全ての接合箇所が上記と同様に連結プレート６１のボルト締めによって接合処理することができる。
前壁版１１の重ね合せ分１１ａ，１１ｂにも同様にナット型インサートを埋設し、連結プレートのボルト締めによる接合処理を適用することもできる。
【００１９】
左梁版１３と右梁版１４の上面前側端部には、単位ブロック１０の運搬や設置施工時に単位ブロック１０を重機で吊上げるために、重機から繰り出した吊上げ部材が装着される金具１９を埋設してある。
図１７から図２１に示した前位パネル２０では、上下端面に係止突起２４と係止段部２５が形成されている。下段側の前位パネル２０の係止突起２４は上段側の前位パネル２０の係止段部２５と係合し、相互の位置ずれを防止する。詳細な図示は省略したが、後位パネル３０の上下端面にも同様な係止突起３４と係止段部３５が形成されている。
図２２と図２３に示したように単位ブロック１０の形状、寸法は適宜に変更される。
【００２０】
矩形中空部１７と調整用領域５０よりなる充填対象空間の全部にコンクリートを打設したときには、より安定した擁壁を構築することができる。
前記充填対象空間に部分的にコンクリートを打設し、残った空間部分を掘削工事などの残土で埋め戻すときには、安定した擁壁構造を保持しつつ、経済効率の良い残土処理が可能となる。
部分的に前位パネルの代わりに植生土嚢を設置したときには、擁壁面の緑化が簡便に行なえる。
前記充填用空間の全部を土砂、砕石などで埋め戻すことにより、環境に配慮した擁壁構造とすることが出来る。
【実施例１】
【００２１】
図1から図４に示した実施例１では、擁壁の施工基準線は平面視直線状であるため、調整用領域５０において、左右の単位ブロック１０，１０の前壁版１１，１１同士の間隔は、後壁版１２，１２同士の間隔と同じになっている。すなわち、調整用領域５０の平面視形状は略矩形状になっている。
【実施例２】
【００２２】
図５から図８に示した実施例２では、擁壁の施工基準線は平面視外向きの曲線状であるため、調整用領域５０において、左右の単位ブロック１０，１０の前壁版１１，１１同士の間隔は、後壁版１２，１２同士の間隔よりも広くなっている。すなわち、調整用領域５０の平面視形状は略台形状になっている。
【実施例３】
【００２３】
図９と図１０に示した実施例３では、擁壁の施工基準線は平面視外向きの曲線状であるが、実施例２におけるよりも曲率半径が大きいため、調整用領域５０において、左右の単位ブロック１０，１０の前壁版１１，１１同士の間隔と、後壁版１２，１２同士の間隔との間の寸法差は、実施例２よりも縮小されている。
【図面の簡単な説明】
【００２４】
【図１】本発明の実施例１の擁壁構造の正面図であり、施工基準線は平面視直線状である。
【図２】図１のＢ−Ｂ線断面図である。
【図３】図１のＡ−Ａ線断面図である。
【図４】図１のＣ−Ｃ線断面図である。
【図５】本発明の実施例２の擁壁構造の正面図であり、施工基準線は平面視曲線状である。
【図６】図５のＦ−Ｆ線断面図である。
【図７】図５のＤ−Ｄ線断面図である。
【図８】図５のＥ−Ｅ線断面図である。
【図９】本発明の実施例３の擁壁構造の正面図であり、施工基準線は平面視直線状である。
【図１０】図９のＧ−Ｇ線断面図である。
【図１１】実施例１，２，３で使用した単位ブロックの正面図である。
【図１２】図１１の単位ブロックの右側面図である。
【図１３】図１１の単位ブロックの平面図である。
【図１４】図１１の単位ブロックの背面図である。
【図１５】図１２のＨ−Ｈ線断面図である。
【図１６】図１３のＩ−Ｉ線断面図である。
【図１７】実施例１，２，３で使用した前位パネルの正面図である。
【図１８】図１７の前位パネルの平面図である。
【図１９】図１７の前位パネルの背面図である。
【図２０】図１７の前位パネルの右側面図である。
【図２１】図１７の前位パネルの拡大縦断面図である。
【図２２】本発明の擁壁構造で使用される別例の単位ブロックの右側面図である。
【図２３】本発明の擁壁構造で使用される更に別例の単位ブロックの右側面図である。
【符号の説明】
【００２５】
１      法面
２      掘削底部
３      基礎砕石層
４      基礎コンクリート
５      差し筋
６      裏込め材
７      天端コンクリート
１０    単位ブロック
１１    前壁版
１１ａ  重ね合せ部
１１ｂ  重ね合せ部
１２    後壁版
１２ａ  重ね合せ部
１２ｂ  重ね合せ部
１３    左梁版
１４    右梁版
１５    制止突起
１６    制止凹部
１７    矩形中空部
１８    連通窓孔
１９    吊上げ部材の装着用金具
２０    前位パネル
２１    前位パネルの位置決め部材
２２    左梁版の前位横孔
２３    右梁版の前位横孔
２４    係止突起
２５    係止段部
３０    後位パネル
３１    後位パネルの位置決め部材
３２    左梁版の後位横孔
３３    右梁版の後位横孔
３４    係止突起
３５    係止段部
４０    充填物
５０    調整用領域
６０    ナット型インサート
６１    連結プレート
６２    接合用ボルト
【図１】
2005320680.tif 000003
【図２】
2005320680.tif 000004
【図３】
2005320680.tif 000005
【図４】
2005320680.tif 000006
【図５】
2005320680.tif 000007
【図６】
2005320680.tif 000008
【図７】
2005320680.tif 000009
【図８】
2005320680.tif 000010
【図９】
2005320680.tif 000011
【図１０】
2005320680.tif 000012
【図１１】
2005320680.tif 000013
【図１２】
2005320680.tif 000014
【図１３】
2005320680.tif 000015
【図１４】
2005320680.tif 000016
【図１５】
2005320680.tif 000017
【図１６】
2005320680.tif 000018
【図１７】
2005320680.tif 000019
【図１８】
2005320680.tif 000020
【図１９】
2005320680.tif 000021
【図２０】
2005320680.tif 000022
【図２１】
2005320680.tif 000023
【図２２】
2005320680.tif 000024
【図２３】
2005320680.tif 000025